(57)【要約】      （修正有）【課題】圧力の僅かな変化及び激しい変化のそれぞれに応じて内部圧力を調整し、圧力の均衡を確保できる筆記具の圧力調整装置及び筆記具を提供する。【解決手段】インクの直接供給式の筆記具の圧力調整装置及び筆記具であり、圧力調整装置３０は変形エアバッグ３２を含み、変形エアバッグの変形によりペン軸内の僅かな圧力変化に対応し、圧力変化が大きくなる場合、圧力調整装置をペン軸に対して滑らせて調節することで、圧力を平衡に調節可能で、高温または低圧の外部環境による内部圧力の不釣合いにより、キャップを開にした時に、インクが圧力を受けて吐出されたり、または書く時にインクが過剰に供給されたりすることを防ぐ。また筆記具を出荷する前に、圧力調整装置に事前に僅かな加圧をすることで、キャップを閉鎖した時に生じた僅かな圧力を打ち消し、筆記具の内外圧力を均衡に保持し、搬送時のインク漏れによる製品汚染を避ける。【選択図】図３
0003217293.tif 000002
【実用新案登録請求の範囲】
【請求項１】
筆記具のペン軸を滑るように当該ペン軸内に設置され、当該ペン軸の内部空間をインナチャンバー及びアウトチャンバーに区分し、アウタチューブ部と変形エアバッグとを含み、当該アウタチューブ部が当該ペン軸の内壁面に密着され、当該変形エアバッグが当該アウタチューブ部内に設置され、
当該ペン軸の当該インナチャンバーと当該アウトチャンバーとの圧力差は第１設定値より大きくなる場合、当該変形エアバッグは当該アウトチャンバーに向かって変形し、
当該ペン軸の当該インナチャンバーと当該アウトチャンバーとの圧力差は第２設定値より大きくなる場合、当該圧力調整装置は当該ペン軸に対して当該アウトチャンバーへ移動し、当該第２設定値は当該第１設定値より大きい筆記具の圧力調整装置。
【請求項２】
当該ペンの当該インナチャンバーと当該アウトチャンバーとの圧力差は当該第１設定値より小さくなる場合、当該変形エアバッグは当該インナチャンバーに向かって突出し、
当該ペンの当該インナチャンバーと当該アウトチャンバーとの圧力差は当該第１設定値より大きくなる場合、当該変形エアバッグは当該アウトチャンバーに向かって変形・突出する請求項１に記載の筆記具の圧力調整装置。
【請求項３】
当該変形エアバッグは半球形である請求項２に記載の筆記具の圧力調整装置。
【請求項４】
当該変形エアバッグは第１バッグ部と第２バッグ部とを含み、当該第１バッグ部の一端が当該第２バッグ部の一端に接続され、当該第１バッグ部の他端が当該アウタチューブ部の内壁面に接続され、当該第２バッグ部の他端が密閉端であり、当該第１バッグ部の内径が当該第２バッグ部の内径より大きく、
当該変形エアバッグは当該インナチャンバーに向かって突出する場合、当該第１バッグ部及び当該第２バッグ部はいずれも当該インナチャンバーに向かって突出し、
当該変形エアバッグは当該アウトチャンバーに向かって突出する場合、当該第１バッグ部及び当該第２バッグ部はいずれも当該アウトチャンバーに向かって突出する請求項２に記載の筆記具の圧力調整装置。
【請求項５】
当該変形エアバッグは当該アウトチャンバーに向かって突出し、且つ当該変形エアバッグは内部空間を被覆し、
当該ペンの当該インナチャンバーと当該アウトチャンバーとの圧力差は当該第１設定値より大きくなる場合、当該変形エアバッグは当該アウトチャンバーに向かって変形・展開することで、当該内部空間の容積は当該ペンの当該インナチャンバーと当該アウトチャンバーとの圧力差が当該第１設定値より小さくなる場合の当該内部空間の容積より大きくなる請求項１に記載の筆記具の圧力調整装置。
【請求項６】
当該変形エアバッグは圧力を受けて拡大変形可能な弾性バッグ体であり、
当該ペンの当該インナチャンバーと当該アウトチャンバーとの圧力差は当該第１設定値より小さくなる場合、当該変形エアバッグは収縮状態になり、
当該ペンの当該インナチャンバーと当該アウトチャンバーとの圧力差は当該第１設定値より大きくなる場合、当該変形エアバッグは当該アウトチャンバーに向かって展開し、拡張状態になる請求項５に記載の筆記具の圧力調整装置。
【請求項７】
当該変形エアバッグは伸縮管であり、当該伸縮管の一端が当該アウタチューブ部の内壁面に接続され、当該伸縮管の他端が密閉端であり、
当該ペンの当該インナチャンバーと当該アウトチャンバーとの圧力差は当該第１設定値より大きくなる場合、当該伸縮管は当該アウトチャンバーに向かって変形・展開することで、当該伸縮管の長さは当該ペンの当該インナチャンバーと当該アウトチャンバーとの圧力差が当該第１設定値より小さくなる場合の当該伸縮管の長さより大きくなる請求項５に記載の筆記具の圧力調整装置。
【請求項８】
当該第１設定値は外部環境の温度変化の２℃〜４℃に対応し、
当該第２設定値は外部環境の温度変化の５℃〜７℃に対応する請求項１〜７のいずれか１項に記載の筆記具の圧力調整装置。
【請求項９】
当該変形エアバッグ的幅最大箇所の直径をＸに定義し、当該変形エアバッグの厚さをＹに定義すると、当該変形エアバッグの幅最大箇所の直径と当該変形エアバッグの厚さとの関係式は：Ｙ＝０．０９Ｘ−０．１である請求項１〜７のいずれか１項に記載の筆記具の圧力調整装置。
【請求項１０】
当該変形エアバッグの厚さは０．３５センチ〜０．８センチの間にあり、当該変形エアバッグの幅最大箇所の直径は５センチ〜１０センチの間にある請求項９に記載の筆記具の圧力調整装置。
【請求項１１】
アウタチューブ部は両環状フランジをさらに含み、当該両環状フランジは当該アウタチューブ部の外壁面を囲んで突設され、間を空けて設置され、当該両環状フランジは当該ペン軸の当該内壁面に密着されている請求項１〜７のいずれか１項に記載の筆記具の圧力調整装置。
【請求項１２】
ペン軸と、
請求項１〜１１のいずれか１項に記載の圧力調整装置と、
当該ペン軸における当該インナチャンバーに隣接する一端に設置されるペン先モジュールとを含む筆記具であって、
当該変形エアバッグが当該アウトチャンバーに向かって変形することに対抗するように、当該圧力調整装置の当該変形エアバッグに事前に加圧しておく筆記具。
【考案の詳細な説明】
【技術分野】
【０００１】
本発明はインクの直接供給式の筆記具の圧力調整装置に関わり、特に、筆記具に対して滑ること及び自身の変形により圧力を調整する調整装置及び当該調整装置を備える筆記具に関する。
【背景技術】
【０００２】
従来の技術のインクの直接供給式の筆記具において、そのペン軸内にペン軸の内部空間を上下両部分に区分するように滑り区分部材が設けられ、その中に、下部がインクを収容しながらわずかな空気があるインナチャンバーであり、上部がペン軸の端部の通気穴を介して開部環境に連通可能なアウトチャンバーであり、筆記具は使用中にインクがだんだん消費された後で、滑り区分部材が次第に下へ滑ってインクが消費された空間を補填し、しかしながら、前述の滑り区分部材はインクの消費に従って緩やかに僅かな移動をするだけであるが、大きい圧力変化に従ってペン軸の内部圧力を調節することができない。具体的には以下のような状況がある。
【０００３】
第１には、高温の外部環境にあるとき、ペン軸内の空気が熱で膨張される可能性があり、キャップを閉鎖した時に、筆記具のインナチャンバーが外部に空気の流通がないため、熱で膨張された空気で筆記具の内部圧力を増大させ、さらに筆記具のインナチャンバーと外部との間に圧力差が発生し、この場合、筆記具の内部圧力を適宜に調節しなければ、キャップを開にしたときに、インクが圧力を受けて吐出される可能性があり、または高温環境で書く時に、熱で膨張された空気による圧力でインクが過剰に供給されてインク漏れを起こす可能性がある。また、筆記具は使用中にインクが次第に消費された後で、滑り区分部材が次第に下へ滑ってインクの消費された空間を補填しようとするが、滑り区分部材会がペン軸の内壁面に互いに摩擦するので、実際に、インクの損失量が滑り区分部材の移動量に等しくないため、インクが次第に消費されることに従って、インナチャンバーの空気も次第に増加するため、空気が熱で膨張された後で圧力への影響も大きくなり、インク漏れとの問題もさらにひどくなる。
【０００４】
第２には、キャップを閉鎖した時にも、筆記具のインナチャンバーの圧力を小幅に増加させ、搬送時の安定性に影響を及ぼし、例えば、搬送中に温度が圧力とともにある程度に変化し、飛行機における離着陸場合または車がでこぼこな路面を走ることで激しい振動を起こす場合のように、筆記具の内部圧力を適宜に調節しなければ、圧力変化によりキャップが自らペン軸から離れたり、またはインクが吐出されたり、またはインクを過剰に供給することでインク漏れが発生して製品の汚染を起こしたりすることができる。
【考案の概要】
【考案が解決しようとする課題】
【０００５】
前述の従来の技術の欠点及び不足に鑑みて、本発明は圧力の僅かな変化及び激しい変化のそれぞれに応じて内部圧力を調整することで筆記具の圧力の均衡を確保することができる筆記具の圧力調整装置及び当該圧力調整装置を備える筆記具を提供する。
【課題を解決するための手段】
【０００６】
上記の発明目的を達成するために、本発明の採用する技術的手段は筆記具のペン軸を滑るように当該ペン軸内に設置され、当該ペン軸の内部空間をインナチャンバー及びアウトチャンバーに区分し、アウタチューブ部と変形エアバッグとを含み、当該アウタチューブ部が当該ペン軸の内壁面に密着され、当該変形エアバッグが当該アウタチューブ部内に設置され、
当該ペン軸の当該インナチャンバーと当該アウトチャンバーとの圧力差は第１設定値より大きくなる場合、当該変形エアバッグは当該アウトチャンバーに向かって変形し、
当該ペン軸の当該インナチャンバーと当該アウトチャンバーとの圧力差は第２設定値より大きくなる場合、当該圧力調整装置は当該ペン軸に対して当該アウトチャンバーへ移動し、当該第２設定値は当該第１設定値より大きい筆記具の圧力調整装置を設計する。
【０００７】
上記の発明目的を達成するために、本発明はペン軸と、
請求項１〜１１のいずれか１項に記載の圧力調整装置と、
当該ペン軸における当該インナチャンバーに隣接する一端に設置されるペン先モジュールとを含む筆記具であって、
当該変形エアバッグが当該アウトチャンバーに向かって変形することに対抗するように、当該圧力調整装置の当該変形エアバッグに事前に加圧しておく筆記具をさらに提供する。
【０００８】
本発明の利点は、圧力調整装置上に変形エアバッグを設置することで、その変形により僅かな圧力変化に対応し、圧力変化が大きくなる場合、圧力調整装置がペン軸に対して滑ることで調節し、これにより、圧力変化の大きさにもかかわらず、圧力を均衡に調節できる機能を果たすことができるので、高温または低圧の外部環境による内部圧力の不釣合いにより、キャップを開にした時、インクが圧力を受けて吐出されたり、または書く時にインクを過剰に供給することでインク漏れが発生したりすることを防ぐ。
【０００９】
また、当該筆記具製品の出荷前に、変形エアバッグがアウトチャンバーに向かって変形することを対抗・阻止するように、まず圧力調整装置に事前に加圧しておき、例えば、まず圧力調整装置に加圧することで変形エアバッグをインナチャンバーに向かって変形させ、これにより、キャップを閉鎖した時、筆記具内部に発生した僅かな圧力がちょうど圧力調整装置の事前の僅かな加圧と互いに打ち消し、筆記具の内部圧力を均衡に保たせることで、筆記具は内外圧力が均衡になる状態で搬送可能になり、その搬送時の温度と圧力との影響を最低限に低減させることで、搬送振動による内部圧力変化によりキャップが自らペン軸と分離したり、またはインクが吐出されたり、及びインクが過剰に供給されることでインク漏れが発生して製品汚染を起こしたりすることを避けて、さらに製品を新しいもののように完璧に保持することができる。
【００１０】
さらに言えば、前記の筆記具の圧力調整装置において、当該ペンの当該インナチャンバーと当該アウトチャンバーとの圧力差は当該第１設定値より小さくなる場合、当該変形エアバッグは当該インナチャンバーに向かって突出し、当該ペンの当該インナチャンバーと当該アウトチャンバーとの圧力差は当該第１設定値より大きくなる場合、当該変形エアバッグは当該アウトチャンバーに向かって変形・突出する。
【００１１】
さらに言えば、前記の筆記具の圧力調整装置において、当該変形エアバッグは半球形である。
【００１２】
さらに言えば、前記の筆記具の圧力調整装置において、当該変形エアバッグは第１バッグ部と第２バッグ部とを含み、当該第１バッグ部の一端が当該第２バッグ部の一端に接続され、当該第１バッグ部の他端が当該アウタチューブ部の内壁面に接続され、当該第２バッグ部の他端が密閉端であり、当該第１バッグ部の内径が当該第２バッグ部の内径より大きく、当該変形エアバッグは当該インナチャンバーに向かって突出する場合、当該第１バッグ部及び当該第２バッグ部はいずれも当該インナチャンバーに向かって突出し、当該変形エアバッグは当該アウトチャンバーに向かって突出する場合、当該第１バッグ部及び当該第２バッグ部はいずれも当該アウトチャンバーに向かって突出する。
【００１３】
さらに言えば、前記の筆記具の圧力調整装置において、当該変形エアバッグは当該アウトチャンバーに向かって突出し、且つ当該変形エアバッグは内部空間を被覆し、当該ペンの当該インナチャンバーと当該アウトチャンバーとの圧力差は当該第１設定値より大きくなる場合、当該変形エアバッグは当該アウトチャンバーに向かって変形・展開することで、当該内部空間の容積は当該ペンの当該インナチャンバーと当該アウトチャンバーとの圧力差が当該第１設定値より小さくなる場合の当該内部空間の容積より大きくなる。
【００１４】
さらに言えば、前記の筆記具の圧力調整装置において、当該変形エアバッグは圧力を受けて拡大変形可能な弾性バッグ体であり、当該ペンの当該インナチャンバーと当該アウトチャンバーとの圧力差は当該第１設定値より小さくなる場合、当該変形エアバッグは収縮状態になり、当該ペンの当該インナチャンバーと当該アウトチャンバーとの圧力差は当該第１設定値より大きくなる場合、当該変形エアバッグは当該アウトチャンバーに向かって展開し、拡張状態になる。
【００１５】
さらに言えば、前記の筆記具の圧力調整装置において、当該変形エアバッグは伸縮管であり、当該伸縮管の一端が当該アウタチューブ部の内壁面に接続され、当該伸縮管の他端が密閉端であり、当該ペンの当該インナチャンバーと当該アウトチャンバーとの圧力差は当該第１設定値より大きくなる場合、当該伸縮管は当該アウトチャンバーに向かって変形・展開することで、当該伸縮管の長さは当該ペンの当該インナチャンバーと当該アウトチャンバーとの圧力差が当該第１設定値より小さくなる場合の当該伸縮管の長さより大きくなる。
【００１６】
さらに言えば、前記の筆記具の圧力調整装置において、当該第１設定値は外部環境の温度変化の２℃〜４℃に対応し、当該第２設定値は外部環境の温度変化の５℃〜７℃に対応する。
【００１７】
さらに言えば、前記の筆記具の圧力調整装置において、当該変形エアバッグ的幅最大箇所の直径をＸに定義し、当該変形エアバッグの厚さをＹに定義すると、当該変形エアバッグの幅最大箇所の直径と当該変形エアバッグの厚さとの関係式は：Ｙ＝０．０９Ｘ−０．１である。
【００１８】
さらに言えば、前記の筆記具の圧力調整装置において、当該変形エアバッグの厚さは０．３５センチ〜０．８センチの間にあり、当該変形エアバッグの幅最大箇所の直径は５センチ〜１０センチの間にある。
【００１９】
さらに言えば、前記の筆記具の圧力調整装置において、アウタチューブ部は両環状フランジをさらに含み、当該両環状フランジは当該アウタチューブ部の外壁面を囲んで突設され、間を空けて設置され、当該両環状フランジは当該ペン軸の当該内壁面に密着されている。
【図面の簡単な説明】
【００２０】
【図１】図１は本発明の筆記具の外観斜視図。
【図２】図２は本発明の筆記具のモジュール分解図。
【図３−５】図３〜図５は本発明の筆記具の使用状態作動図。
【図６−７】図６及び図７は本発明の圧力調整装置の第１実施例の断面作動図。
【図８】図８は本発明の圧力調整装置の第２実施例の外観斜視図。
【図９−１０】図９及び図１０は本発明の圧力調整装置の第２実施例の断面作動図。
【図１１】図１１は本発明の圧力調整装置の第３実施例の外観斜視図。
【図１２−１３】図１２及び図１３は本発明の圧力調整装置の第３実施例の断面作動図。
【図１４】図１４は本発明の圧力調整装置の第４実施例の外観斜視図。
【図１５−１６】図１５及び図１６は本発明の圧力調整装置の第４実施例の断面作動図。
【考案を実施するための形態】
【００２１】
以下、図面及び本発明の好適な実施例を合わせて、さらに本発明が予定の発明目的を達成するために採用した技術的手段を詳述する。
【００２２】
図１〜図３に示すように、本発明の圧力調整装置を備える筆記具はペン軸１０と、ペン先モジュール２０と、圧力調整可能な圧力調整装置３０とを含み、本発明の筆記具は、具体的には、インクの直接供給式の筆記具であり、例えば、マーカー、ホワイトボードマーカー等であるが、これに限定されていない。
【００２３】
前述のペン軸１０は本実施例において、内部空間と、開口端と、通気穴とを含み、当該開口端と通気穴はそれぞれペン軸１０の対向する両端にある。本実施例において、ペン軸１０の直径は４センチ〜２５センチの間にあるが、これに限定されていない。
【００２４】
前述のペン先モジュール２０はペン軸１０の開口端に設置されており、本実施例において、当該ペン先モジュール２０はペン先ハウジング２１と、ペン先２２と、中綿２３と、ペン先座２４とを含み、ペン先ハウジング２１がペン軸１０の開口端に設置され、ペン軸１０内に延長し、ペン先２２がペン先ハウジング２１内に設置され、ペン先２２の一端がペン先ハウジング２１を貫通してペン先ハウジング２１外に突出し、中綿２３がペン先ハウジング２１内に設置され、ペン先２２の他端を覆設し、ペン先座２４がペン先ハウジング２１におけるペン軸１０内に進出された端部に設置され、且つ中綿２３に貫入され、中綿２３がペン先座２４に固定され、ペン先モジュール２０の細部構造は従来の技術であり、そしてペン先モジュール２０は上記構造および結合関係に限定されていない。
【００２５】
図２及び図６に示すように、前述の圧力調整装置３０はペン軸１０を摺動可能にペン軸１０内に設置され、ペン軸１０の内部空間をアウトチャンバー１１及びインナチャンバー１２に区分し、インナチャンバー１２がペン先モジュール２０に相対的に近づく空間であり、且つインナチャンバー１２内にインクと空気が含まれ、アウトチャンバー１１が前述の通気穴を介して外部環境に連通されるので、アウトチャンバー１１の圧力と外部環境の圧力とは均衡な状態になる。圧力調整装置３０はアウタチューブ部３１及び変形エアバッグ３２を含む。
【００２６】
アウタチューブ部３１はペン軸１０の内壁面に密着され、本実施例において、アウタチューブ部３１は両環状フランジ３１１をさらに含み、当該両環状フランジ３１１がアウタチューブ部３１の外壁面を囲んで突設され、且つそれぞれアウタチューブ部３１の両端開口に隣接され、当該両環状フランジ３１１がペン軸１０の内壁面に密着されるが、アウタチューブ部３１の構造がこれに限定されておらず、環状フランジを備えず、アウタチューブ部３１の外壁面またはその他の構造によりペン軸１０の内壁面に直接に密着されてもよい。
【００２７】
変形エアバッグ３２はアウタチューブ部３１内に設置され、ペン軸１０のインナチャンバー１２の圧力がアウトチャンバー１１の圧力より大きくなる場合、インナチャンバー１２とアウトチャンバー１１との圧力差が第１設定値より大きくなると、変形エアバッグ３２がアウトチャンバー１１に向かって変形し（図４に示すように）、インナチャンバー１２とアウトチャンバー１１との圧力差が第２設定値より大きくなると、圧力調整装置３０全体がペン軸１０に対してアウトチャンバー１１へ移動し（図５に示すように）。ただし、第２設定値が第１設定値より大きい。
【００２８】
図３〜図５に示すように、言い換えれば、アウトチャンバー１１とインナチャンバー１２との圧力差は逓増する場合、変形エアバッグ３２は次第にアウトチャンバー１１に向かって変形し、変形エアバッグ３２は限界まで変形した後で、当該圧力差が引き続き増大すると、その後で、圧力調整装置３０全体がペン軸１０に対してアウトチャンバー１１へ移動することにより、変形エアバッグ３２の変形で僅かな圧力変化を調節可能になり、圧力変化が過大になるとき、圧力調整装置３０の移動により調節することができる。
【００２９】
変形エアバッグ３２は上記機能を達成できる多種類の異なる構成の実施例を有して、まず、変形エアバッグ３２が大きく２種類に分けることができる。
【００３０】
第１種類には、図６、図７、図９及び図１０に示すように、変形エアバッグ３２、３２Ａは圧力変化に従ってインナチャンバー１２に突出しまたはアウトチャンバー１１に突出し、さらに言えば、インナチャンバー１２とアウトチャンバー１１との圧力差は第１設定値より小さくなる場合、変形エアバッグ３２、３２Ａはインナチャンバー１２に向かって突出し、インナチャンバー１２とアウトチャンバー１１との圧力差は第１設定値より大きくなる場合、変形エアバッグ３２、３２Ａはアウトチャンバー１１に向かって変形・突出し、具体的には、このような第１種類の構造は以下のような二つの実施例がある。
【００３１】
図２、図６及び図７に示すように、変形エアバッグ３２は半球形であり、かつ、当該半球形の突出する方向は前述条件に従って変化する。
【００３２】
さらに、図８〜図１０に示すように、変形エアバッグ３２Ａは第１バッグ部３２１Ａと第２バッグ部３２２Ａとを含み、第１バッグ部３２１Ａの一端が第２バッグ部３２２Ａの一端に接続され、第１バッグ部３２１Ａの他端がアウタチューブ部３１Ａの内壁面に接続され、第２バッグ部３２２Ａの他端が密閉端であり、第１バッグ部３２１Ａの内径が第２バッグ部３２２Ａの内径より大きく、図１０に示すように、変形エアバッグ３２Ａがインナチャンバー１２に向かって突出する場合、第１バッグ部３２１Ａ及び第２バッグ部３２２Ａはいずれもインナチャンバー１２に向かって突出し、図９に示すように、変形エアバッグ３２Ａがアウトチャンバー１１に向かって突出する場合、第１バッグ部３２１Ａ及び第２バッグ部３２２Ａはいずれもアウトチャンバー１１に向かって突出する。
【００３３】
第２種類には、図１１〜図１６に示すように、変形エアバッグ３２Ｂ、３２Ｃは圧力変化に従って、体積が変わり、さらに言えば、変形エアバッグ３２Ｂ、３２Ｃはアウトチャンバー１１に向かって突出しているまま、変形エアバッグ３２Ｂ、３２Ｃが内部空間を被覆し、インナチャンバー１２とアウトチャンバー１１との圧力差は第１設定値より大きくなる場合、変形エアバッグ３２Ｂ、３２Ｃはアウトチャンバー１１に向かって変形・展開することで、内部空間の容積はインナチャンバー１２とアウトチャンバー１１との圧力差が第１設定値より小さくなる場合の内部空間の容積より大きくなる。
【００３４】
言い換えれば、インナチャンバー１２とアウトチャンバー１１との圧力差は第１設定値より小さくなる場合、変形エアバッグ３２Ｂ、３２Ｃは相対的に収縮している状態にあり、インナチャンバー１２とアウトチャンバー１１との圧力差は第１設定値より大きくなる場合、変形エアバッグ３２Ｂ、３２Ｃは相対的に展開している状態にあり、具体的には、このような第２種類の構造は以下のような２つの実施例がある。
【００３５】
また、図１１〜図１３に示すように、変形エアバッグ３２Ｂは圧力を受けて拡大変形可能な弾性バッグ体であり、図１３に示すように、インナチャンバー１２とアウトチャンバー１１との圧力差は第１設定値より小さくなる場合、変形エアバッグ３２Ｂは収縮状態になり、図１２に示すように、インナチャンバー１２とアウトチャンバー１１との圧力差は第１設定値より大きくなる場合、変形エアバッグ３２Ｂはアウトチャンバー１１に向かって展開し、拡張状態になる。
【００３６】
図１４〜図１６に示すように、変形エアバッグ３２Ｃは伸縮管であり、伸縮管の一端がアウタチューブ部３１Ｃの内壁面に接続され、伸縮管の他端が密閉端であり、図１６に示すように、インナチャンバー１２とアウトチャンバー１１との圧力差は第１設定値より小さくなる場合、伸縮管は相対的に折戻されまたは短くなる状態になり、図１５に示すように、インナチャンバー１２とアウトチャンバー１１との圧力差は第１設定値より大きくなる場合、伸縮管はアウトチャンバー１１に向かって伸長する。
【００３７】
前述の４つの実施例はいずれもインナチャンバー１２とアウトチャンバー１１との圧力差が第１設定値より大きくなる場合、変形エアバッグ３２がアウトチャンバー１１に向かって変形することで僅かな圧力を調節する目的を達成することができるが、変形エアバッグ３２は前述の２種類の状況及び４つの実施例の構造に限定されておらず、上記目的に達成できればよい。
【００３８】
また図６に示すように、変形エアバッグ３２の外形寸法について、本実施例において、変形エアバッグ３２の幅最大箇所の直径と変形エアバッグ３２の厚さとの関係式は：Ｙ＝０．０９Ｘ−０．１であり、Ｘを変形エアバッグ３２の幅最大箇所の直径に定義し、Ｙを変形エアバッグ３２の厚さに定義し、また、好ましくは、変形エアバッグ３２の幅最大箇所の直径が５センチ〜１０センチの間にあり、変形エアバッグ３２の厚さが０．３５センチ〜０．８センチの間にあるが、変形エアバッグ３２の外形寸法は上記に制限されておらず、必要に応じて調整できる。
【００３９】
また、変形エアバッグ３２は本実施例において変形可能なシリカゲル材質であるが、これに限定されておらず、前記能力を達成できる材質であればよい。
【００４０】
また、インナチャンバー１２とアウトチャンバー１１との圧力差の第１設定値及び第２設定値について、圧力で直接に決定するほか、外部環境の温度変化に転換して決定することもでき、具体的には、第１設定値は外部環境の温度変化の２℃〜４℃に対応し、且つ３℃が好ましい。当該第２設定値が外部環境の温度変の５℃〜７℃に対応し、且つ６℃が好ましい。
【００４１】
例を挙げると、外部温度環境は１８℃から２１℃に上昇した場合、インナチャンバー１２とアウトチャンバー１１との圧力差は第１設定値に達し、外部温度環境は１８℃から２４℃に上昇した場合、当該圧力差は第２設定値に達し、または、外部温度環境は２５℃から２８℃に上昇した場合、インナチャンバー１２とアウトチャンバー１１との圧力差は第１設定値に達し、外部温度環境は２５℃度から３１℃に上昇した場合、当該圧力差は第２設定値に達する。
【００４２】
本発明の筆記具製品の出荷前に、また図３及び図６に示すように、変形エアバッグ３２がアウトチャンバー１１に向かって変形することに対抗するように、圧力調整装置３０の変形エアバッグ３２に事前に加圧しておき、例えば、前述第１種類の圧力調整装置３０において、まず圧力調整装置３０に加圧することで変形エアバッグ３２をインナチャンバー１２に向かって突出変形させ、さらに図４及び図７に示すように、これにより、キャップ４０を閉鎖した時、筆記具内部に発生した僅かな圧力がちょうど圧力調整装置３０の事前の僅かな加圧と互いに打ち消し、筆記具の内部圧力を均衡に保たせることで、筆記具は内外圧力が均衡になる状態で搬送可能になり、その搬送時の温度と圧力との影響を最低限に低減させることで、搬送振動による内部圧力変化により、キャップ４０が自らペン軸１０と分離したり、またはインクを吐出したり、及びインクを過剰に供給することでインク漏れが発生して製品汚染を起こしたりすることを避けて、さらに製品を新しいもののように完璧に保持することができる。
【００４３】
図５に示すように、外部環境の温度が高すぎることで書き部材の内部圧力変化が過大になる場合、圧力調整装置３０全体がペン軸１０に対してアウトチャンバー１１へ移動することで圧力を調節し、これにより変形エアバッグ３２の変形で僅かな圧力変化を調節可能であり、圧力変化が過大になる場合、圧力調整装置３０の移動により調節することができる。
【００４４】
本発明はこれで圧力変化の大きさにもかかわらず、圧力を均衡に調節できる機能を果たすことができるので、高温または低圧の外部環境による内部圧力の不釣合いにより、キャップ４０を開にした時、インクが圧力を受けて吐出されたり、または書く時にインクが過剰に供給されることでインク漏れが発生したりすることを防ぐ。
【００４５】
上記記載は本発明の好適な実施例だけであり、本発明にいかなる形式上の制限をすることではない。本発明は好適な実施例で上記のように記載されているが、それらは本発明を限定するものではなく、いかなる当業者は本発明の技術案を脱離しない範囲内で上記に記載の技術内容を利用してわずかな変更または修飾して同等変化された等価な実施例にできるが、本発明の技術案を脱離しない内容である限り、本発明の技術的実質に基づき、上記実施例に対して行ったいかなる簡単な修正、等同変化および修飾はいずれも本発明の技術案の範囲内に含まれる。
【符号の説明】
【００４６】
１０ペン軸                               
１１アウトチャンバー
１２インナチャンバー                  
２０ペン先モジュール
２１ペン先ハウジング                
２２ペン先
２３中綿                                 
２４ペン先座
３０圧力調整装置                     
３１アウタチューブ部
３１１環状フランジ                     
３２変形エアバッグ
４０キャップ
３２Ａ変形エアバッグ                 
３２１Ａ第１バッグ部
３２２Ａ第２バッグ部
３２Ｂ変形エアバッグ
３１Ｃアウタチューブ部               
３２Ｃ変形エアバッグ
【図１】
0003217293.tif 000003
【図２】
0003217293.tif 000004
【図３】
0003217293.tif 000005
【図４】
0003217293.tif 000006
【図５】
0003217293.tif 000007
【図６】
0003217293.tif 000008
【図７】
0003217293.tif 000009
【図８】
0003217293.tif 000010
【図９】
0003217293.tif 000011
【図１０】
0003217293.tif 000012
【図１１】
0003217293.tif 000013
【図１２】
0003217293.tif 000014
【図１３】
0003217293.tif 000015
【図１４】
0003217293.tif 000016
【図１５】
0003217293.tif 000017
【図１６】
0003217293.tif 000018
【手続補正書】
【提出日】平成30年5月30日(2018.5.30)
【手続補正１】
【補正対象書類名】実用新案登録請求の範囲
【補正対象項目名】請求項１
【補正方法】変更
【補正の内容】
【請求項１】
筆記具の圧力調整装置であって、
筆記具のペン軸を滑るように当該ペン軸内に設置され、当該ペン軸の内部空間をインナチャンバー及びアウトチャンバーに区分し、アウタチューブ部と変形エアバッグとを含み、当該アウタチューブ部が当該ペン軸の内壁面に密着され、当該変形エアバッグが当該アウタチューブ部内に設置され、
当該ペン軸の当該インナチャンバーと当該アウトチャンバーとの圧力差は第１設定値より大きくなる場合、当該変形エアバッグは当該アウトチャンバーに向かって変形し、
当該ペン軸の当該インナチャンバーと当該アウトチャンバーとの圧力差は第２設定値より大きくなる場合、当該圧力調整装置は当該ペン軸に対して当該アウトチャンバーへ移動し、当該第２設定値は当該第１設定値より大きい筆記具の圧力調整装置。
【手続補正２】
【補正対象書類名】実用新案登録請求の範囲
【補正対象項目名】請求項２
【補正方法】変更
【補正の内容】
【請求項２】
当該ペン軸の当該インナチャンバーと当該アウトチャンバーとの圧力差は当該第１設定値より小さくなる場合、当該変形エアバッグは当該インナチャンバーに向かって突出し、
当該ペン軸の当該インナチャンバーと当該アウトチャンバーとの圧力差は当該第１設定値より大きくなる場合、当該変形エアバッグは当該アウトチャンバーに向かって変形・突出する請求項１に記載の筆記具の圧力調整装置。
【手続補正３】
【補正対象書類名】実用新案登録請求の範囲
【補正対象項目名】請求項５
【補正方法】変更
【補正の内容】
【請求項５】
当該変形エアバッグは当該アウトチャンバーに向かって突出し、且つ当該変形エアバッグは内部空間を被覆し、
当該ペン軸の当該インナチャンバーと当該アウトチャンバーとの圧力差は当該第１設定値より大きくなる場合、当該変形エアバッグは当該アウトチャンバーに向かって変形・展開することで、当該内部空間の容積は当該ペン軸の当該インナチャンバーと当該アウトチャンバーとの圧力差が当該第１設定値より小さくなる場合の当該内部空間の容積より大きくなる請求項１に記載の筆記具の圧力調整装置。
【手続補正４】
【補正対象書類名】実用新案登録請求の範囲
【補正対象項目名】請求項６
【補正方法】変更
【補正の内容】
【請求項６】
当該変形エアバッグは圧力を受けて拡大変形可能な弾性バッグ体であり、
当該ペン軸の当該インナチャンバーと当該アウトチャンバーとの圧力差は当該第１設定値より小さくなる場合、当該変形エアバッグは収縮状態になり、
当該ペン軸の当該インナチャンバーと当該アウトチャンバーとの圧力差は当該第１設定値より大きくなる場合、当該変形エアバッグは当該アウトチャンバーに向かって展開し、拡張状態になる請求項５に記載の筆記具の圧力調整装置。
【手続補正５】
【補正対象書類名】実用新案登録請求の範囲
【補正対象項目名】請求項７
【補正方法】変更
【補正の内容】
【請求項７】
当該変形エアバッグは伸縮管であり、当該伸縮管の一端が当該アウタチューブ部の内壁面に接続され、当該伸縮管の他端が密閉端であり、
当該ペン軸の当該インナチャンバーと当該アウトチャンバーとの圧力差は当該第１設定値より大きくなる場合、当該伸縮管は当該アウトチャンバーに向かって変形・展開することで、当該伸縮管の長さは当該ペン軸の当該インナチャンバーと当該アウトチャンバーとの圧力差が当該第１設定値より小さくなる場合の当該伸縮管の長さより大きくなる請求項５に記載の筆記具の圧力調整装置。
【手続補正６】
【補正対象書類名】実用新案登録請求の範囲
【補正対象項目名】請求項９
【補正方法】変更
【補正の内容】
【請求項９】
当該変形エアバッグの幅の最大箇所の直径をＸに定義し、当該変形エアバッグの厚さをＹに定義すると、当該変形エアバッグの幅最大箇所の直径と当該変形エアバッグの厚さとの関係式は：Ｙ＝０．０９Ｘ−０．１である請求項１〜７のいずれか１項に記載の筆記具の圧力調整装置。